(57)【特許請求の範囲】
【請求項１】
第一の表示領域または第二の表示領域に目盛り画像を表示する表示器と、前記表示器に目盛り画像を表示させる制御手段と、前記目盛り画像を囲む環状可動部材と、前記環状可動部材が前記第一の表示領域に表示された前記目盛り画像を囲む第一の位置から、前記環状可動部材が前記第二の表示領域に表示された前記目盛り画像を囲む第二の位置へ、前記環状可動部材を移動させる移動機構と、を備えた車両用表示装置であって、
前記目盛り画像の外側端を結んだ仮想円の半径は、前記環状可動部材の内周の半径よりも大きく、前記環状可動部材の外周の半径よりも小さくなっており、前記目盛り画像の一部は、前記環状可動部材に隠されることを特徴とする車両用表示装置。
【請求項２】
前記目盛画像は、主目盛り画像と、前記主目盛り画像よりも小さい副目盛り画像と、を有することを特徴とする請求項１に記載の車両用表示装置。
【請求項３】
前記主目盛り画像の外側端を結んだ仮想円の半径は、前記環状可動部材の内周の半径よりも大きく、前記環状可動部材の外周の半径よりも小さいことを特徴とする請求項２に記載の車両用表示装置。
【発明の詳細な説明】
【技術分野】
【０００１】
本発明は、環状可動部材を備えた車両用表示装置に関するものである。
【背景技術】
【０００２】
従来より、車両用表示装置が種々提案されており、例えば特許文献１に開示されている。斯かる車両用表示装置は、表示器と、この表示器の表示面側に位置する２つの環状可動部材と、電動機の動力によって２つの環状可動部材を移動させる移動機構と、を備えている。この２つの環状可動部材は、例えば、エンジン回転数を表示するタコメータの外枠としての役割を有する環状可動部材と、車両速度を表示する速度計の外枠としての役割を有する環状可動部材であり、それぞれ、移動機構によって円弧状に移動することができる。
【先行技術文献】
【特許文献】
【０００３】
【特許文献１】特開２０１０−１７５４１１号公報
【発明の概要】
【発明が解決しようとする課題】
【０００４】
前述した車両用表示装置は、環状可動部材１を移動させたとき、環状可動部材１に微小な位置ずれが生じて、目盛り画像２と環状可動部材１との間隙Ｄ１，Ｄ２の不均一が視認され、外観が損なわれるという問題を有していた。即ち、図２０に示すように、環状可動部材１が所定位置よりも若干左側にある場合、環状可動部材１の左側では、目盛り画像２と環状可動部材１との間隙Ｄ１が大きく、環状可動部材１の右側では、目盛り画像２と環状可動部材１との間隙Ｄ２が小さくなり、見栄えが良好ではない。
【０００５】
また、図２１に示すように、環状可動部材１の周囲に装飾画像３を表示させた場合、装飾画像３と環状可動部材１との間隙が不均一であると外観が損なわれるという問題を有していた。即ち、図２２に示すように、環状可動部材１が所定位置よりも若干右上にある場合、環状可動部材１の左下では、装飾画像３と環状可動部材１との間隙Ｄ３が大きく、環状可動部材１の右上では、装飾画像３と環状可動部材１との間隙Ｄ４が小さくなり、見栄えが良好ではない。
【０００６】
本発明は、この問題に鑑みなされたものであり、環状可動部材の位置ずれが目立たない車両用表示装置を提供するものである。
【課題を解決するための手段】
【０００７】
本発明は、請求項１に記載のように、第一の表示領域Ｓ１または第二の表示領域Ｓ２に目盛り画像１１，１２，１３，１４を表示する表示器１０と、前記表示器１０に目盛り画像１１，１２，１３，１４を表示させる制御手段１００と、前記目盛り画像１１，１２，１３，１４を囲む環状可動部材４１，５１と、前記環状可動部材４１，５１が前記第一の表示領域Ｓ１に表示された前記目盛り画像１１，１２，１３，１４を囲む第一の位置から、前記環状可動部材４１，５１が前記第二の表示領域Ｓ２に表示された前記目盛り画像１１，１２，１３，１４を囲む第二の位置へ、前記環状可動部材４１，５１を移動させる移動機構６０，７０と、を備えた車両用表示装置であって、前記目盛り画像１１，１２，１３，１４の外側端を結んだ仮想円の半径Ｒ１は、前記環状可動部材４１，５１の内周の半径Ｒ２よりも大きく、前記環状可動部材４１，５１の外周の半径Ｒ３よりも小さくなっており、前記目盛り画像１１，１２，１３，１４の一部は、前記環状可動部材４１，５１に隠されるものである。
【０００８】
また、本発明は、請求項２に記載のように、前記目盛画像は、主目盛り画像１１，１２と、前記主目盛り画像１１，１２よりも小さい副目盛り画像１３，１４と、を有するものである。
【０００９】
また、本発明は、請求項３に記載のように、前記主目盛り画像１１，１２の外側端を結んだ仮想円の半径Ｒ１は、前記環状可動部材４１，５１の内周の半径Ｒ２よりも大きく、前記環状可動部材４１，５１の外周の半径Ｒ３よりも小さいものである。
【発明の効果】
【００１０】
環状可動部材と意匠画像の一部とを、正面視で重ねたことにより、環状可動部材の位置ずれが目立たない。
【図面の簡単な説明】
【００１１】
【図１】本発明の第一実施形態を示す移動機構の模式図。
【図２】同上実施形態を示す移動機構の模式図。
【図３】同上実施形態を示す指針式計器の模式図。
【図４】同上実施形態を示す伝達機構の模式図。
【図５】同上実施形態を示す第一パターンの説明図。
【図６】同上実施形態を示す第二パターンの説明図。
【図７】同上実施形態を示す表示器の模式図。
【図８】同上実施形態を示すブロック図。
【図９】同上実施形態を示す要部拡大図。
【図１０】本発明の第二実施形態を示す要部拡大図。
【図１１】本発明の第三実施形態を示す要部拡大図。
【図１２】本発明の第四実施形態を示す第一パターンの説明図。
【図１３】同上実施形態を示す第二パターンの説明図。
【図１４】同上実施形態を示す表示器の模式図。
【図１５】同上実施形態を示す表示器の模式図。
【図１６】同上実施形態を示す要部拡大図。
【図１７】本発明の第五実施形態を示す要部拡大図。
【図１８】本発明の第六実施形態を示す要部拡大図。
【図１９】本発明の第七実施形態を示す要部拡大図。
【図２０】従来例を示す図。
【図２１】他の従来例を示す図。
【図２２】同上他の従来例を示す図。
【発明を実施するための形態】
【００１２】
以下、添付図面に基づいて、本発明の一実施形態を参照して説明する。図１乃至図９は、第一実施形態を示すものである。車両用表示装置は、表示器１０と、指針式計器２０，３０と、装飾ユニット４０，５０と、移動機構６０，７０と、回路基板８０と、ハウジング９０と、を備える。
【００１３】
表示器１０は、１２．３インチの表示画面を有するＴＦＴ（Thin Film Transistor）液晶表示器であるが、例えば有機ＥＬ表示器であっても良い。表示器１０は、後述する制御部１００の制御の下、車両速度，エンジン回動数，ナビゲーション情報等を表示する。また、表示器１０は、左右方向にスライド移動する指針式計器２０，３０及び装飾ユニット４０，５０の位置状態（後述する「第一パターン」、「第二パターン」等）に合わせて、表示態様を変化させる。表示器１０は、ＴＦＴ型液晶表示パネル，偏光板，バックライト，ディスプレイ用筐体等（図示せず）から構成され、ハウジング９０に形成された取付部材（図示せず）に取り付けられ、所定位置に配置され、支持される。
【００１４】
指針式計器２０は、指針駆動部２１と、第一マグネット体２２と、第二マグネット体２３と、指針ユニット２４と、を備える。指針式計器２０を構成する各部は、移動板６１に直接、又は移動板６１に取り付けられる装飾ユニット４０を介して取り付けられているため、移動板６１の移動に伴い移動する。
【００１５】
指針駆動部２１は、例えばステッピングモータから構成され、制御部１００の制御の下、車両速度に応じて回動軸２１ａを回動させる。指針駆動部２１は、移動板６１に固定されている。
第一マグネット体２２は、回動軸２１ａに取り付けられ、回動軸２１ａの回動に伴い、回動する。このように取り付けられた第一マグネット体２２は、表示器１０のすぐ裏に位置する。
【００１６】
第二マグネット体２３は、表示器１０の表側であって、第一マグネット体２２と対向する位置に位置する。第二マグネット体２３は、第一マグネット体２２からの表示器１０を透過した磁力を受け、第一マグネット体２２の回動に従って、回動する。第二マグネット体２３は、指針ユニット２４の指針軸２４ａに取り付けられている。
【００１７】
このような第一マグネット体２２と第二マグネット体２３により、指針駆動部２１の回転動力は、指針ユニット２４へ伝えられ、指針ユニット２４は回動することができる。指針ユニット２４は、表示器１０に表示された目盛り画像１１，１３を指示する。表示器１０のディスプレイ用筐体は、このように磁力を透過させる必要があるため、アルミ等の非磁性体により形成される。
【００１８】
指針式計器３０は、指針駆動部３１と、第一マグネット体３２と、第二マグネット体３３と、指針ユニット３４と、を備える。指針式計器２０を構成する各部は、移動板７１に直接、又は移動板７１に取り付けられる装飾ユニット５０を介して取り付けられているため、移動板７１の移動に伴い移動する。
【００１９】
指針駆動部３１は、例えばステッピングモータから構成され、制御部１００の制御の下、エンジン回転数に応じて回動軸３１ａを回動させる。指針駆動部３１は、移動板７１に固定されている。
第一マグネット体３２は、回動軸３１ａに取り付けられ、回動軸３１ａの回動に伴い、回動する。このように取り付けられた第一マグネット体３２は、表示器１０のすぐ裏に位置する。
【００２０】
第二マグネット体３３は、表示器１０の表側であって、第一マグネット体３２と対向する位置に位置する。第二マグネット体３３は、第一マグネット体３２からの表示器１０を透過した磁力を受け、第一マグネット体３２の回動に従って、回動する。第二マグネット体３３は、指針ユニット３４の指針軸３４ａに取り付けられている。
【００２１】
このような第一マグネット体３２と第二マグネット体３３により、指針駆動部３１の回転動力は、指針ユニット３４へ伝えられ、指針ユニット３４は回動することができる。指針ユニット３４は、表示器１０に表示された目盛り画像１２，１４を指示する。
【００２２】
装飾ユニット４０は、リング部材４１及び支持部材４２を備え、移動機構６０により、指針式計器２０と共にスライド移動する。装飾ユニット４０のリング部材４１は不透明な樹脂からなるものであるが、半透明であっても良い。装飾ユニット４０の支持部材４２は、透光性樹脂からなるものであり、略円錐形状になっている。装飾ユニット４０の支持部材４２は、指針ユニット２４の回動軸２４ａを回動可能な状態で支持している。リング部材４１を移動板６１に取り付け、固定することで、装飾ユニット４０は、移動板６１がスライド移動するに伴ってスライド移動する。
【００２３】
装飾ユニット５０は、リング部材５１及び支持部材５２を備え、移動機構７０により、指針式計器３０と共にスライド移動する。装飾ユニット５０の支持部材５２は、透光性樹脂からなるものであり、略円錐形状になっている。装飾ユニット５０の支持部材５２は、指針ユニット３４の回動軸３４ａを回動可能な状態で支持している。リング部材５１を移動板７１に取り付け、固定することで、装飾ユニット５０は、移動板７１がスライド移動するに伴ってスライド移動する。
【００２４】
移動機構６０は、移動板６１と、駆動部６２と、伝達機構６３と、を備える。移動機構６０は、指針式計器２０及び装飾ユニット４０を左右方向にスライド移動させるための機構である。
【００２５】
移動板６１は、例えば、樹脂材料やアルミ等の非磁性金属から形成される部材である。移動板６１は、指針式計器２０と装飾ユニット４０とを保持する。また、移動板６１は、その裏面に形成された挟持部６１ａにより、伝達機構６３のタイミングベルト６３ｃに取り付けられる。
【００２６】
移動板６１には、指針駆動部２１の回動軸２１ａを通すための開口部が設けられている。移動板６１の裏面側には、取付部６１ｄが形成されている。取付部６１ｄに指針駆動部２１が取り付けられることで、指針駆動部２１は移動板６１に固定される。駆動部６２は、例えばステッピングモータからなる。駆動部６２は、制御部１００の制御の下、回動軸６２ａを回動させる。
【００２７】
移動機構７０は、移動板７１と、駆動部７２と、伝達機構７３と、を備える。移動機構７０は、指針式計器３０及び装飾ユニット５０を左右方向にスライド移動させるための機構である。
【００２８】
移動板７１は、例えば、樹脂材料やアルミ等の非磁性金属から形成される部材である。移動板７１は、指針式計器３０と装飾ユニット５０とを保持する。また、移動板７１は、その裏面に形成された挟持部７１ａにより、伝達機構７３のタイミングベルト７３ｃに取り付けられる。
【００２９】
移動板７１には、指針駆動部３１の回動軸３１ａを通すための開口部が設けられている。指針駆動部３１は移動板７１に固定されている。駆動部７２は、例えばステッピングモータからなる。駆動部７２は、制御部１００の制御の下、回動軸７２ａを回動させる。駆動部７２は、駆動部６２の下に位置する。
【００３０】
伝達機構６３と伝達機構７３とは、互いに、上下方向に所定の間隔を空けて配置される（図４参照）。このように両者を配置することで、車両用表示装置が表裏方向に厚くなることを避けることができるため、車両用表示装置を薄くすることが可能である。伝達機構６３は、伝達機構７３の下側に位置する。
【００３１】
伝達機構６３は、左右方向に所定の間隔を空けて配置された２つのプーリー６３ａ，６３ｂと、両者に巻回されるタイミングベルト６３ｃと、から構成される。プーリー６３ａは、車両用表示装置の表側から見て右側に位置し、駆動部６２の回動軸６２ａに圧入され、回動軸６２ａの回動に伴い回動する。プーリー６３ｂは、車両用表示装置の表側から見て左側に位置し、移動機構用筐体６５に取り付けられた軸に回動可能に保持される。タイミングベルト６３ｃは、２つのプーリー６３ａ，６３ｂが空転しないように所定の張力をもって取り付けられるため、プーリー６３ａが回動すると、プーリー６３ｂも同様に回動する。このようにして、伝達機構６３は、駆動部６２で発生した回転動力をスライド方向（左右方向）の動力に変換して、前述のようにタイミングベルト６３ｃに取り付けられた移動板６１をスライド移動させる。
【００３２】
伝達機構７３は、左右方向に所定の間隔を空けて配置された２つのプーリー７３ａ，７３ｂと、両者に巻回されるタイミングベルト７３ｃと、から構成される。プーリー７３ａは、車両用表示装置の表側から見て右側に位置し、駆動部７２の回動軸７２ａに圧入され、回動軸７２ａの回動に伴い回動する。プーリー７３ｂは、車両用表示装置の表側から見て左側に位置し、移動機構用筐体６５に取り付けられた軸に回動可能に保持される。タイミングベルト７３ｃは、２つのプーリー７３ａ，７３ｂが空転しないように所定の張力をもって取り付けられるため、プーリー７３ａが回動すると、プーリー７３ｂも同様に回動する。このようにして、伝達機構７３は、駆動部７２で発生した回転動力をスライド方向（左右方向）の動力に変換して、前述のようにタイミングベルト４２３ｃに取り付けられた移動板７１をスライド移動させる。
【００３３】
回路基板８０は、移動機構６０，７０の裏側に位置して、ハウジング９０の内面に支持される。回路基板８０には、マイコン１０１等が搭載されている。ハウジング９０は、上記各部（表示器１０，指針式計器２０，３０，装飾ユニット４０，５０，移動機構６０，７０，回路基板８０）を収納する筐体である。
【００３４】
次に、図８を参照して、車両用表示装置の電気的構成について説明する。車両用表示装置は、制御部１００と、車両情報入力ポート１１０，表示器１０，指針駆動部２１，３２，駆動部６２，７２と、を備える。
【００３５】
制御部１００は、マイコン１０１と、グラフィックディスプレイコントローラー（以下、「ＧＤＣ」と記す）１０２と、表示器１０，指針駆動部２１，３２，駆動部６２，７２を駆動する各種ドライバＩＣ（Integrated Circuit）（図示せず）と、を備える。制御部１００は、例えば、車両速度、エンジン回動数等の各種計測量を算出し、表示器１０，指針式計器２０，３０の動作を制御し、算出した計測量を表示させる。
【００３６】
マイコン１０１は、ＣＰＵ（Central Processing Unit），ＲＯＭ（Read Only Memory）、ＲＡＭ（Random Access Memory），入出力インターフェイス等を備え、車両情報入力ポート１１０から入力された各種情報を受け付け、各部に制御信号を出力する。マイコン１０１のＣＰＵは、例えば、ＲＯＭ内に予め記憶された表示形態変形処理を実行するための所定プログラムを読み出し実行する。ＧＤＣ１０２は、マイコン１０１と協働して、表示器１０の表示を制御する。
【００３７】
車両情報入力ポート１１０は、車両ＥＣＵ（Electronic Control Unit）から通信ラインにより伝送される各種状態情報や、ナビゲーション情報が入力されるポートである。
【００３８】
以上の構成からなる車両用表示装置は、制御部１００の制御の下、所定の情報をトリガとして、装飾ユニット４０，５０を各々スライド移動させ、装飾ユニット４０，５０を複数の状態に変形させるとともに、その状態に対応させて表示器１０の表示を変化させる。
【００３９】
車両用表示装置は、制御部１００により移動機構６０，７０を駆動制御して、装飾ユニット４０，５０が表示器１０の表示画面の中央部に位置する第一パターンの状態（図５参照）と、装飾ユニット４０が表示器１０の表示画面の右端部に位置し、且つ、装飾ユニット５０が表示画面の左端部に位置する第二パターンの状態（図６参照）と、に変形させる。
【００４０】
第一パターンでは、表示器１０の表示領域Ｓ１に目盛り画像１１，１２，１３，１４及び数字画像１５，１６が表示され、この目盛り画像１１，１２，１３，１４及び数字画像１５，１６を装飾ユニット４０，５０のリング部材４１，５１が囲む位置に、装飾ユニット４０，５０が移動する。また、第二パターンでは、表示器１０の表示領域Ｓ２に目盛り画像１１，１２，１３，１４及び数字画像１５，１６が表示され、この目盛り画像１１，１２，１３，１４及び数字画像１５，１６を装飾ユニット４０，５０のリング部材４１，５１が囲む位置に、装飾ユニット４０，５０が移動する。
【００４１】
このような、車両用表示装置の動作は、マイコン１０１が実行する表示形態変形処理によって実現される。車両用表示装置は、第二パターンの状態で、表示器１０の表示画面のうち、装飾ユニット４０と装飾ユニット５０とが左右に開くことで形成される領域に、ナビゲーション画像Ｎを表示させる。
【００４２】
次に、目盛り画像１１，１２，１３，１４について詳述する。目盛り画像１１，１２，１３，１４は、円弧状に配置されたように表示される。目盛り画像１１，１２は、半径方向に伸長する矩形の主目盛り画像である。目盛り画像１３，１４は、目盛り画像１１，１２よりも小さい矩形の副目盛り画像である。目盛り画像１１，１２の近傍には、数字画像１５，１６が表示されるが、目盛り画像１３，１４の近傍には、数字画像１５，１６が表示されない。目盛り画像１３，１４は、目盛り画像１１，１２の中間位置に配置されている。
【００４３】
目盛り画像１１，１２，１３，１４の外側端を結んだ仮想円Ｖの半径Ｒ１は、リング部材４１，５１の内周の半径Ｒ２よりも大きく、且つ、リング部材４１，５１の外周の半径Ｒ２よりも小さくなっている。目盛り画像１１，１２，１３，１４の外側端は、リング部材４１，５１の内周と外周の間に位置しているため、目盛り画像１１，１２，１３，１４の外側端と、リング部材４１，５１の内周との間隙はない。
【００４４】
本実施形態によれば、目盛り画像１１，１２，１３，１４の外側端が、リング部材４１，５１に重なっているため、リング部材４１，５１が所望の位置から若干ずれたとしても、リング部材４１，５１の位置ずれが目立たない。
【００４５】
なお、図１０に示す第二実施形態のように、副目盛り画像である目盛り画像１９を円形にしても良い。また、図１１に示す第三実施形態のように、主目盛り画像である目盛り画像１１の外側端を結んだ仮想円の半径を、副目盛り画像である目盛り画像１３の外側端を結んだ仮想円の半径よりも大きくしても良い。
【００４６】
図１２乃至図１６は、第四実施形態を示すものである。表示器１０，指針式計器２０，３０，装飾ユニット４０，５０，移動機構６０，７０，回路基板８０，ハウジング９０の構造は、第一実施形態と同様である。
【００４７】
車両用表示装置は、制御部１００により移動機構６０，７０を駆動制御して、装飾ユニット４０，５０が表示器１０の表示画面の中央部に位置する第一パターンの状態（図１２参照）と、装飾ユニット４０が表示器１０の表示画面の右端部に位置し、且つ、装飾ユニット５０が表示画面の左端部に位置する第二パターンの状態（図１３参照）と、に変形させる。
【００４８】
第一パターンでは、表示器１０の表示領域Ｓ１に目盛り画像１１，１２，１３，１４及び数字画像１５，１６が表示され、この目盛り画像１１，１２，１３，１４及び数字画像１５，１６を装飾ユニット４０，５０のリング部材４１，５１が囲む位置に、装飾ユニット４０，５０が移動する。また、第一パターンでは、表示器１０の表示領域Ｓ３に環状の装飾画像１７，１８が表示される。
【００４９】
第二パターンでは、表示器１０の表示領域Ｓ２に目盛り画像１１，１２，１３，１４及び数字画像１５，１６が表示され、この目盛り画像１１，１２，１３，１４及び数字画像１５，１６を装飾ユニット４０，５０のリング部材４１，５１が囲む位置に、装飾ユニット４０，５０が移動する。また、第二パターンでは、表示器１０の表示領域Ｓ４に環状の装飾画像１７，１８が表示される。
【００５０】
このような、車両用表示装置の動作は、マイコン１０１が実行する表示形態変形処理によって実現される。車両用表示装置は、第二パターンの状態で、表示器１０の表示画面のうち、装飾ユニット４０と装飾ユニット５０とが左右に開くことで形成される領域に、ナビゲーション画像Ｎを表示させる。
【００５１】
次に、目盛り画像１１，１２，１３，１４及び装飾画像１７，１８について詳述する。目盛り画像１１，１２，１３，１４は、円弧状に配置されたように表示される。目盛り画像１１，１２は、半径方向に伸長する矩形の主目盛り画像である。目盛り画像１３，１４は、目盛り画像１１，１２よりも小さい矩形の副目盛り画像である。目盛り画像１１，１２の近傍には、数字画像１５，１６が表示されるが、目盛り画像１３，１４の近傍には、数字画像１５，１６が表示されない。目盛り画像１３，１４は、目盛り画像１１，１２の中間位置に配置されている。
【００５２】
装飾画像１７，１８は、リング部材４１，５１の周辺に表示される。装飾画像１７，１８の内周輪郭線１７ａ，１８ａは円形になっており、装飾画像１７，１８の外周輪郭線１７ｂ，１８ｂは多数の二等辺三角形を連ねたような波線形状になっている。装飾画像１７，１８の内周輪郭線１７ａ，１８ａの半径Ｒ４は、リング部材４１，５１の内周の半径Ｒ２よりも大きく、且つ、リング部材４１，５１の外周の半径Ｒ３よりも小さくなっている。装飾画像１７，１８の内周輪郭線１７ａ，１８ａは、リング部材４１，５１の内周と外周の間に位置しているため、装飾画像１７，１８とリング部材４１，５１との間隙はない。
【００５３】
本実施形態によれば、装飾画像１７，１８の一部が、リング部材４１，５１に重なっているため、リング部材４１，５１が所望の位置から若干ずれたとしても、リング部材４１，５１の位置ずれが目立たない。
【００５４】
なお、本発明は、各実施形態に限定されるものではなく、種々の変形が可能であり、例えば、図１７に示す第五実施形態のように、装飾画像１７と、主目盛り画像である目盛り画像１１とを繋げても良い。また、装飾画像１７，１８は円環状でなくとも良く、例えば、図１８に示す第六実施形態のように、円弧状であっても良い。
【００５５】
また、図１９に示す第七実施形態のように、装飾画像１７，１８の内周輪郭線１７ａ，１８ａの半径Ｒ５が、リング部材４１，５１の内周の半径Ｒ２よりも小さくなっており、目盛り画像１１，１２，１３，１４の一部が装飾画像１７，１８に重なっていても良い。また、装飾画像１７，１８は明確な内周輪郭線１７ａ，１８ａ及び外周輪郭線１７ｂ，１８ｂを有するものであったが、装飾画像１７，１８は、内周輪郭線１７ａ，１８ａ，外周輪郭線１７ｂ，１８ｂの少なくとも一方が不明確なグラデーション状であっても良い。
【００５６】
また、各実施形態は、装飾ユニット４０，５０を平行移動させるものであったが、装飾ユニット４０，５０を円弧状に移動させるように構成しても良い。また、各実施形態は、指針ユニット３４を備えるものであったが、表示器１０に指針画像を表示させても良い。また、環状可動部材は円環状でなくとも良く、例えば、円弧状であっても良い。
【産業上の利用可能性】
【００５７】
本発明は、四輪車，二輪車等の車両に搭載される車両用計器に好適である。
【符号の説明】
【００５８】
１０    表示器
１１    目盛り画像（意匠画像）
１２    目盛り画像（意匠画像）
１３    目盛り画像（意匠画像）
１４    目盛り画像（意匠画像）
１７    装飾画像（意匠画像）
１７ａ  内周輪郭線
１８    装飾画像（意匠画像）
１８ａ  内周輪郭線
４１    リング部材（環状可動部材）
５１    リング部材（環状可動部材）
６０    移動機構
７０    移動機構
１００    制御部（制御手段）
Ｓ１    表示領域（第一の表示領域）
Ｓ２    表示領域（第二の表示領域）
Ｓ３    表示領域（第一の表示領域）
Ｓ４    表示領域（第二の表示領域）
Ｒ１    半径
Ｒ２    半径
Ｒ３    半径
Ｒ４    半径
Ｒ５    半径
【図１】
0005939435.tif 000002
【図２】
0005939435.tif 000003
【図３】
0005939435.tif 000004
【図４】
0005939435.tif 000005
【図５】
0005939435.tif 000006
【図６】
0005939435.tif 000007
【図７】
0005939435.tif 000008
【図８】
0005939435.tif 000009
【図９】
0005939435.tif 000010
【図１０】
0005939435.tif 000011
【図１１】
0005939435.tif 000012
【図１２】
0005939435.tif 000013
【図１３】
0005939435.tif 000014
【図１４】
0005939435.tif 000015
【図１５】
0005939435.tif 000016
【図１６】
0005939435.tif 000017
【図１７】
0005939435.tif 000018
【図１８】
0005939435.tif 000019
【図１９】
0005939435.tif 000020
【図２０】
0005939435.tif 000021
【図２１】
0005939435.tif 000022
【図２２】
0005939435.tif 000023